(57)【要約】      （修正有）【課題】汚染水の外部漏洩を抑制可能とする汚染水の貯蔵装置を提供する。【解決手段】中空形状をなして内部に放射性物質を含んだ汚染水を貯留可能な内殻１１と、内殻１１の外側に配置される外殻１２と、内殻１１から外殻１２への汚染水の漏洩を検出する検出装置１３とを設ける。【選択図】図１
2015190793.tif 000002
【特許請求の範囲】
【請求項１】
中空形状をなして内部に放射性物質を含んだ汚染水を貯留可能な内殻と、
前記内殻の外側に配置される外殻と、
前記内殻から前記外殻への汚染水の漏洩を検出する検出装置と、
を有することを特徴とする汚染水の貯蔵装置。
【請求項２】
前記検出装置は、前記内殻と前記外殻との間の隙間に設けられ、前記内殻から前記隙間への汚染水の漏洩を検出することを特徴とする請求項１に記載の汚染水の貯蔵装置。
【請求項３】
前記内殻と前記外殻によりダブルハル構造の船体が構成されることを特徴とする請求項１または請求項２に記載の汚染水の貯蔵装置。
【請求項４】
前記船体は、ドックに配置され、喫水線まで周囲が充填部材によって支持されることを特徴とする請求項３に記載の汚染水の貯蔵装置。
【請求項５】
前記内殻と前記外殻によりダブルハル構造の浮体が構成され、前記浮体は、海上に係留され、前記内殻と前記外殻との隙間に空気が充填されることで浮遊可能であることを特徴とする請求項１または請求項２に記載の汚染水の貯蔵装置。
【請求項６】
前記隙間に対して海水を給排可能な海水給排口と、前記隙間に対して空気を給排可能な空気給排口とが設けられることを特徴とする請求項５に記載の汚染水の貯蔵装置。
【請求項７】
外殻と内殻との間に隙間が設けられる船舶をドックまで航行する工程と、
前記ドック内で前記船体を支持する工程と、
前記ドック内で支持された前記船体の前記内殻内に汚染水を充填する工程と、
を有することを特徴とする汚染水の貯蔵方法。
【発明の詳細な説明】
【技術分野】
【０００１】
本発明は、放射性物質を含んだ汚染水を貯蔵するための汚染水の貯蔵装置及び方法に関するものである。
【背景技術】
【０００２】
例えば、原子力発電プラントで事故が発生した場合、放射性物質を含んだ汚染水が発生する。発生した汚染水は、貯蔵タンクに一時的に貯蔵し、処理装置を用いて順次汚染水から放射性物質を除去し、除去した放射性物質は貯蔵容器に貯蔵される一方、放射性物質が除去された処理水は河川などに放出される。
【０００３】
汚染水の貯蔵装置としては、例えば、下記特許文献１に記載されたものがある。特許文献１に記載された液体貯蔵タンクは、筒状部材のそれぞれを順次に積み重ね、接合部において機械的結合具によって互いに接合したものである。
【先行技術文献】
【特許文献】
【０００４】
【特許文献１】特開２０１３−０３５５９９号公報
【発明の概要】
【発明が解決しようとする課題】
【０００５】
従来の汚染水の貯蔵装置は、内部に汚染水を貯留しているものの、貯蔵装置を構成するタンクの外板がボルト締結されていることからボルトの緩みや錆などにより汚染水が外部に漏えいするおそれがある。また、タンクが屋外に設置されていることから、汚染水の漏洩と雨水との区別が難しく、汚染水の漏洩を適正に発見することが困難であった。
【０００６】
本発明は、上述した課題を解決するものであり、汚染水の外部漏洩を抑制可能とする汚染水の貯蔵装置及び方法を提供することを目的とする。
【課題を解決するための手段】
【０００７】
上記の目的を達成するための本発明の汚染水の貯蔵装置は、中空形状をなして内部に放射性物質を含んだ汚染水を貯留可能な内殻と、前記内殻の外側に配置される外殻と、前記内殻から前記外殻への汚染水の漏洩を検出する検出装置と、を有することを特徴とするものである。
【０００８】
従って、外側に外殻が配置された内殻内に放射性物質を含んだ汚染水を貯留することから、内殻から汚染水が漏洩しても外殻に受け止められることで、汚染水の外部漏洩を抑制することができ、また、検出装置が内殻から外殻への汚染水の漏洩を検出することから、内殻からの汚染水の漏洩を早期に検出することができる。
【０００９】
本発明の汚染水の貯蔵装置では、前記検出装置は、前記内殻と前記外殻との間の隙間に設けられ、前記内殻から前記隙間への汚染水の漏洩を検出することを特徴としている。
【００１０】
従って、検出装置が内殻と外殻との隙間に設けられてこの隙間への汚染水の漏洩を検出することから、内殻からの汚染水の漏洩を早期に検出することができる。
【００１１】
本発明の汚染水の貯蔵装置では、前記内殻と前記外殻によりダブルハル構造の船体が構成されることを特徴としている。
【００１２】
従って、ダブルハル構造の船体を用いて汚染水を貯蔵することで、既存の設備を利用するため、大幅なコスト増を抑制することができる。
【００１３】
本発明の汚染水の貯蔵装置では、前記船体は、ドックに配置され、喫水線まで周囲が充填部材によって支持されることを特徴としている。
【００１４】
従って、船体をドックに配置して喫水線まで周囲を支持することで強度が向上し、内殻に十分な量の汚染水を貯蔵することができる。
【００１５】
本発明の汚染水の貯蔵装置では、前記内殻と前記外殻によりダブルハル構造の浮体が構成され、前記浮体は、海上に係留され、前記内殻と前記外殻との隙間に空気が充填されることで浮遊可能であることを特徴としている。
【００１６】
従って、ダブルハル構造の浮体を構成して海上に係留するため、陸上における配置場所を確保する必要がなく、十分な量の汚染水を貯蔵することができる。
【００１７】
本発明の汚染水の貯蔵装置では、前記隙間に対して海水を給排可能な海水給排口と、前記隙間に対して空気を給排可能な空気給排口とが設けられることを特徴としている。
【００１８】
従って、例えば、津波発生時に、海水給排口から隙間に海水を供給して内部の空気を空気給排口から排出することで、浮体を沈降させることができ、津波による被害を抑制することができる。
【００１９】
また、本発明の汚染水の貯蔵方法は、外殻と内殻との間に隙間が設けられる船舶をドックまで航行する工程と、前記ドック内で前記船体を支持する工程と、前記ドック内で支持された前記船体の前記内殻内に汚染水を充填する工程と、を有することを特徴とするものである。
【００２０】
従って、外殻と内殻との間の隙間に放射性物質を含んだ汚染水を貯留することから、内殻から汚染水が漏洩しても外殻に受け止められることで、汚染水の外部漏洩を抑制することができ、また、ダブルハル構造の船体を用いて汚染水を貯蔵することで、既存の設備を利用するため、大幅なコスト増を抑制することができる。
【発明の効果】
【００２１】
本発明の汚染水の貯蔵装置によれば、内部に放射性物質を含んだ汚染水を貯留可能な内殻と、内殻の外側に配置される外殻と、内殻から前記外殻への汚染水の漏洩を検出する検出装置とを設けるので、汚染水の外部漏洩を抑制することができ、また、内殻からの汚染水の漏洩を早期に検出することができる。
【００２２】
本発明の汚染水の貯蔵方法によれば、外殻と内殻との間に隙間が設けられる船舶をドックまで航行する工程と、ドック内で船体を支持する工程と、ドック内で支持された船体の内殻内に汚染水を充填する工程とを設けるので、汚染水の外部漏洩を抑制することができる。
【図面の簡単な説明】
【００２３】
【図１】図１は、第１実施形態の汚染水の貯蔵装置を表す概略図である。
【図２】図２は、汚染水の貯蔵方法を説明するための概略図である。
【図３】図３は、汚染水の貯蔵方法を説明するための概略図である。
【図４】図４は、第２実施形態の汚染水の貯蔵装置が配置された港湾部を表す概略図である。
【図５】図５は、汚染水の貯蔵装置を表す概略図である。
【図６】図６は、汚染水の貯蔵タンクの平面図である。
【図７】図７は、汚染水の貯蔵タンクの断面図である。
【図８】図８は、第３実施形態の汚染水の貯蔵装置を表す概略図である。
【図９】図９は、汚染水の貯蔵装置の作用を表す概略図である。
【発明を実施するための形態】
【００２４】
以下に添付図面を参照して、本発明の汚染水の貯蔵装置及び方法の好適な実施形態を詳細に説明する。なお、この実施形態により本発明が限定されるものではなく、また、実施形態が複数ある場合には、各実施形態を組み合わせて構成するものも含むものである。
【００２５】
［第１実施形態］
図１は、第１実施形態の汚染水の貯蔵装置を表す概略図、図２及び図３は、汚染水の貯蔵方法を説明するための概略図である。
【００２６】
第１実施形態において、図１に示すように、汚染水の貯蔵装置１０は、船舶をドックに入れ、船体を利用して放射性物質を含んだ汚染水を貯蔵可能とするものである。この汚染水の貯蔵装置１０は、内殻１１と外殻１２と検出装置１３とを有している。
【００２７】
汚染水の貯蔵装置１０は、内殻１１と外殻１２によりダブルハル構造の船体１４を形成することで構成されている。内殻１１は、中空形状をなして内部に放射性物質を含んだ汚染水を貯留可能となっている。この内殻１１は、隔壁２１により複数のタンク２２が形成され、各タンク２２は、上部に汚染水を供給可能な供給口２３が形成され、蓋２４により開閉可能となっている。
【００２８】
外殻１２は、内殻１１の外側に所定距離を有する空間部（隙間）２５を空けて配置されている。外殻１２は、内殻１１の少なくとも下方と周囲に配置されており、空間部２５は、通常バラストタンクとして使用可能となっている。なお、内殻１１と外殻１２は、その間に図示しないサポート部材が設けられている。なお、船体１４は、甲板２６上り後部に船橋２７が設けられている。
【００２９】
この船体１４は、ドック３１内に配置され、喫水線３２まで周囲が充填部材（水、土砂、コンクリートなど）３３により支持されている。この場合、船体１４がドック３１内に入った後、船体１４との隙間に充填部材３３を充填することで、船体１４を支持する。
【００３０】
また、汚染水の貯蔵装置１０は、内殻１１から外殻１２への汚染水の漏洩を検出する検出装置１３が設けられている。検出装置１３は、内殻１１と外殻１２との間に設けられる空間部２５に設けられ、内殻１１から空間部２５への汚染水の漏洩を検出することができる。この検出装置１３は、船体１４の外部（または、内部）に設けられる管理装置３４に接続され、管理装置３４は、警報機３５が接続されている。そのため、検出装置１３が空間部２５で汚染水を検出すると、検出信号を管理装置３４に出力し、管理装置３４は、警報機３５を作動させる。
【００３１】
ここで、第１実施形態の汚染水の貯蔵方法について説明する。第１実施形態の汚染水の貯蔵方法は、内殻１１と外殻１２との間に空間部２５が設けられる船舶をドック３１まで航行する工程と、ドック３１内で船体１４を支持する工程と、ドック３１内で支持された船体１４の内殻１１内に汚染水を充填する工程とを有している。
【００３２】
具体的に、図２に示すように、船舶は、例えば、中古のタンカーであって、海上をドック３１まで航行し、船体１４をこのドック３１に入航させる。このとき、ドック３１内に入った船体１４に対して、ドック３１と船体１４との隙間に喫水線３２まで充填部材３３を充填することで、ドック３１内で船体１４を適正に支持する。そして、ドック３１に設けられた汚染水充填装置３６のホース３７を供給口２３に連結し、この汚染水充填装置３６を作動して汚染水を内殻１１により構成されたタンク２２内に充填する。
【００３３】
船体１４は、全てのタンク２２に汚染水が充填された状態で、ドック３１にて、貯蔵装置として汚染水を貯蔵する。そして、船体１４により汚染水を貯蔵している間、検出装置１３は、空間部２５への汚染水の漏洩を検出しており、検出装置１３が空間部２５で汚染水を検出すると、管理装置３４が警報機３５を作動させて作業者に知らせる。そのため、作業者は、汚染水が漏洩しているタンク２２を特定し、安全なタンク２２に汚染水を入れ替える。
【００３４】
このように第１実施形態の汚染水の貯蔵装置にあっては、中空形状をなして内部に放射性物質を含んだ汚染水を貯留可能な内殻１１と、内殻１１の外側に配置される外殻１２と、内殻１１から外殻１２への汚染水の漏洩を検出する検出装置１３とを設けている。
【００３５】
従って、外側に外殻１２が配置された内殻１１内に放射性物質を含んだ汚染水を貯留することから、内殻１１から汚染水が漏洩しても外殻１２に受け止められることで、汚染水の外部漏洩を抑制することができる。また、検出装置１３が内殻１１から外殻１２への汚染水の漏洩を検出することから、内殻１１からの汚染水の漏洩を早期に検出することができる。
【００３６】
第１実施形態の汚染水の貯蔵装置では、検出装置１３は、内殻１１と外殻１２との間に空間部２５を設け、内殻１１から空間部２５への汚染水の漏洩を検出している。従って、検出装置１３が内殻１１と外殻１２との間の空間部２５に設けられて汚染水の漏洩を検出することから、内殻１１からの汚染水の漏洩を早期に検出することができる。また、複数のタンク２２に対して１つの検出装置１３でよく、装置の簡素化及び低コスト化を可能とすることができる。
【００３７】
第１実施形態の汚染水の貯蔵装置では、内殻１１と外殻１２によりダブルハル構造の船体１４により構成されている。従って、ダブルハル構造の船体１４を用いて汚染水を貯蔵することで、既存の設備を利用するため、大幅なコスト増を抑制することができる。また、中古の船舶を用いることで、更なる低コスト化を可能とすることができる。
【００３８】
第１実施形態の汚染水の貯蔵装置では、船体１４をドック３１に配置し、喫水線３２まで充填部材３３を充填して支持している。従って、船体１４をドック３１に配置して支持することで船体１４の支持強度を向上することができ、内殻１１に十分な量の汚染水を貯蔵することができる。
【００３９】
また、第１実施形態の汚染水の貯蔵方法にあっては、外殻１２と内殻１１との間に空間部２５が設けられる船舶（船体１４）をドック３１まで航行する工程と、ドック３１内で船体１４を支持する工程と、ドック３１内で支持された船体１４の内殻１１内に汚染水を充填する工程とを有している。
【００４０】
従って、外殻１２と内殻１１との間の空間部２５に放射性物質を含んだ汚染水を貯留することから、内殻１１から汚染水が漏洩しても外殻１２に受け止められることで、汚染水の外部漏洩を抑制することができ、また、ダブルハル構造の船体１４を用いて汚染水を貯蔵することで、既存の設備を利用するため、大幅なコスト増を抑制することができる。
【００４１】
［第２実施形態］
図４は、第２実施形態の汚染水の貯蔵装置が配置された港湾部を表す概略図、図５は、汚染水の貯蔵装置を表す概略図、図６は、汚染水の貯蔵タンクの平面図、図７は、汚染水の貯蔵タンクの断面図である。
【００４２】
第２実施形態において、図４に示すように、汚染水の貯蔵装置４０は、港湾部に係留する貯蔵タンクを利用して放射性物質を含んだ汚染水を貯蔵可能とするものである。
【００４３】
陸地４１に対して２本の防波堤４２，４３により港湾４４が形成されている。汚染水の貯蔵装置４０は、図５に示すように、防波堤４３における港湾４４内に複数の貯蔵タンク５０が連結部材４５により連結されて係留されることで構成されている。
【００４４】
貯蔵タンク５０は、図６及び図７に示すように、内殻５１と外殻５２によりダブルハル構造の浮体を形成することで構成されている。内殻５１は、中空形状をなして内部に放射性物質を含んだ汚染水を貯留可能となっている。この内殻５１は、隔壁６１により複数のタンク６２が形成され、各タンク６２は、上部に汚染水を供給可能な供給口６３が形成され、蓋６４により開閉可能であると共に、空気抜き用の開口部６５が設けられている。
【００４５】
外殻５２は、内殻５１の外側に所定距離を有する空間部（隙間）６６を空けて配置されている。外殻５２は、内殻５１の少なくとも下方と周囲に配置されており、空間部６６は、空気が充填されることで浮力が作用し、貯蔵タンク５０を浮遊可能としている。この空間部６６は、内殻５１から延出される隔壁６１により複数のタンク６２に対応して分割されている。なお、内殻５１と外殻５２は、その間に図示しないサポート部材が設けられている。
【００４６】
また、貯蔵タンク５０は、内殻５１から外殻５２への汚染水の漏洩を検出する検出装置５３が設けられている。検出装置５３は、内殻５１と外殻５２との間に設けられる空間部６６に設けられ、内殻５１から空間部６６への汚染水の漏洩を検出することができる。この場合、内殻５１は、内部に複数のタンク６２が区画され、各タンク６２に対応して空間部６６が設けられていることから、各空間部６６に対応して検出装置５３が設けられている。この各検出装置５３は、貯蔵タンク５０の外部に設けられる管理装置５４に接続され、管理装置５４は、警報機５５が接続されている。そのため、検出装置５３が空間部６６で汚染水を検出すると、検出信号を管理装置５４に出力し、管理装置５４は、警報機５５を作動させる。
【００４７】
このように第２実施形態の汚染水の貯蔵装置にあっては、内殻５１と外殻５２によりダブルハル構造の浮体としての貯蔵タンク５０を構成し、貯蔵タンク５０を海上に係留し、内殻５１と外殻５２との空間部６６に空気を充填している。
【００４８】
従って、ダブルハル構造の貯蔵タンク５０を構成して海上に係留するため、陸上における配置場所を確保する必要がなく、十分な量の汚染水を貯蔵することができる。
【００４９】
［第３実施形態］
図８は、第３実施形態の汚染水の貯蔵装置を表す概略図、図９は、汚染水の貯蔵装置の作用を表す概略図である。
【００５０】
第３実施形態において、図８に示すように、汚染水の貯蔵装置７０は、港湾部に係留する貯蔵タンクを利用して放射性物質を含んだ汚染水を貯蔵可能とするものである。
【００５１】
貯蔵タンク７１は、内殻５１と外殻５２によりダブルハル構造の浮体を形成することで構成されている。内殻５１は、中空形状をなして内部に放射性物質を含んだ汚染水を貯留可能となっている。この内殻５１は、隔壁（図示略）により複数のタンク６２が形成され、各タンク６２は、上部に汚染水を供給可能な供給口６３が形成され、蓋６４により開閉可能とあると共に、密閉容器となっている。
【００５２】
外殻５２は、内殻５１の外側に所定距離を有する空間部（隙間）６６を空けて配置されている。外殻５２は、内殻５１の少なくとも下方と周囲に配置されており、空間部６６は、空気が充填されることで浮力が作用し、貯蔵タンク７１を浮遊可能としている。また、貯蔵タンク７１は、内殻５１から外殻５２への汚染水の漏洩を検出する検出装置（図示略）が設けられている。
【００５３】
貯蔵タンク７１は、下部に空間部６６に対して海水を給排可能な海水給排口７２が設けられると共に、この海水給排口７２に開閉弁７３が設けられている。また、貯蔵タンク７１は、上部に空間部６６に対して空気を給排可能な空気給排口７４が設けられると共に、空気給排口７４に開閉弁７５が設けられている。
【００５４】
そのため、各開閉弁７３，７５を閉止することで、空間部６６が密閉状態となり、内部に充填された空気により貯蔵タンク７１に浮力が作用する。一方、各開閉弁７３，７５を開放することで、海水給排口７２から空間部６６に海水が浸入し、空気給排口７４から空気が排出され、貯蔵タンク７１に浮力がなくなる。そのため、貯蔵タンク７１は、図９に示すように、海中に沈降して海底８１上に載置される。そして、防波堤４３から空気供給装置８２のホース８３を空気給排口７４に連結する。この状態で、空気供給装置８２を作動して空気をホース８３から空気給排口７４を通して空間部６６に供給すると、この空間部６６の海水が海水給排口７２から外部に排出されることで浮力が発生する。そのため、貯蔵タンク７１は、図８に示すように、海中を浮上して海上に浮遊する。
【００５５】
即ち、貯蔵タンク７１は、通常時、各開閉弁７３，７５を閉止して空間部６６に空気を充填した密閉状態とすることで、浮力が作用して海上に浮遊することができる。一方、津波の発生時、各開閉弁７３，７５を開放して空間部６６に海水を充填して空気を排出することで、浮力がなくなって海底８１に設置することができ、安全性を確保することができる。
【００５６】
このように第３実施形態の汚染水の貯蔵装置にあっては、空間部６６に対して海水を給排可能な海水給排口７２及び開閉弁７３と、空間部６６に対して空気を給排可能な空気給排口７４及び開閉弁７５とを設けている。
【００５７】
従って、例えば、津波発生時に、海水給排口７２から空間部６６に海水を供給して内部の空気を空気給排口７４から排出することで、貯蔵タンク７１を沈降させることができ、津波による被害を抑制することができる。
【００５８】
なお、上述した実施形態にて、船体１４の構成や貯蔵タンク５０，７１の構成は、各実施形態に限定されるものではなく、形状や個数などは適宜設定すればよいものである。
【００５９】
また、上述した実施形態にて、船体１４や貯蔵タンク５０，７１を港湾部やドックに配置するように構成したが、この場所に限定されるものではない。
【符号の説明】
【００６０】
１０，４０，７０  汚染水の貯蔵装置
１１，５１  内殻
１２，５２  外殻
１３，５３  検出装置
１４  船体
２１，６１  隔壁
２２，６２  タンク
２５，６６  空間部（隙間）
３１  ドック
３２  喫水線
３３  充填部材
３４，５４  管理装置
３５，５５  警報機
７２  海水給排口
７４  空気給排口
【図１】
2015190793.tif 000003
【図２】
2015190793.tif 000004
【図３】
2015190793.tif 000005
【図４】
2015190793.tif 000006
【図５】
2015190793.tif 000007
【図６】
2015190793.tif 000008
【図７】
2015190793.tif 000009
【図８】
2015190793.tif 000010
【図９】
2015190793.tif 000011